(57)【要約】      （修正有）【解決手段】クランプ用パッド１０の断面の芯部には麻織物の布１１があり、その上面及び下面にそれぞれ合成ゴムの被覆層１２，１２が形成され、その左右両端には周縁部１３が形成されている。合成ゴム被覆層１２は、合成ゴム溶剤好ましくはスチレンブタジエンゴム、シリコーンゴム、ウレタンゴムのいずれかを主剤とする軟質合成ゴム溶剤と、粒度６０〜１５０番又は１５０〜３０００番のアルミナ研削剤の粉末との混合剤を、麻織物の布１１の一方の面あるいは両方の面に塗布し、その後乾燥して形成する。【効果】クランプ用パッドをクランプと荷物との間に置いて使用すると、パッドの合成ゴム被覆部１２とこれに接する荷物との間に大きな摩擦が生じ、荷物の滑りを防止し、強固に挟持することができる。【選択図】図１
0003135699.tif 000002
【実用新案登録請求の範囲】
【請求項１】
天然麻織物の布の一方の面に、合成ゴム溶剤とアルミナ研削剤との混合剤を塗布して、滑り止めのための合成ゴム被覆層を形成したことを特徴とするクランプ用のパッド。
【請求項２】
前記天然麻織物の布の他方の面に、合成ゴム溶剤とアルミナ研削剤との混合剤を塗布して、滑り止めのための合成ゴム被覆層を形成したことを特徴とする、請求項１に記載のクランプ用パッド。
【請求項３】
前記アルミナ研削材は、粒度６０〜１５０番の粉末である、請求項１又は２に記載のクランプ用パッド。
【請求項４】
前記アルミナ研削材は、粒度１５０〜３０００番の粉末である、請求項１又は２に記載のクランプ用パッド。
【請求項５】
前記合成ゴム溶剤は、スチレンブタジエンゴム、シリコーンゴム、ウレタンゴムのいずれかを主剤とする軟質合成ゴム溶剤である、請求項１〜４のいずれかに記載のクランプ用パッド。
【請求項６】
前記合成ゴム被覆層の硬度が２０〜６０Ｈｓである、請求項１〜５のいずれかに記載のクランプ用パッド。
【考案の詳細な説明】
【技術分野】
【０００１】  本考案は、クレーンによる吊下運搬作業用のクランプのパッドに関するものである。
【背景技術】
【０００２】  従来、クレーンによる吊下運搬作業用として、クランプによって直接荷物を掴んで吊り上げる吊り具が一般的に使用されている。
しかし、クランプにより直接荷物を掴む方法では、荷物が墓石などの重量物の場合、クランプが墓石の表面を傷つけたり、墓石が滑ってクランプから外れたり、落下したりすることがあった。【０００３】  そこで、クランプの荷物に接する面には、通常、硬質ゴム製のパッドが取り付けられ、そのパッドを介して荷物を挟持するようにしているが、墓石など荷物の平滑な表面が水や油で濡れていたり、苔が付いていたりすると、パッドを付けていても滑りやすくなり、荷物が落下する危険があった。また、パッドが当接する荷物の表面が平滑でなく荒れている場合も、パッドと荷物との接触面積が小さくなり、荷物が滑って落下しやすくなるという問題があった。
【考案の開示】
【考案が解決しようとする課題】
【０００４】  本考案は、上述のような問題点に鑑みてなされたもので、墓石などの荷物の表面が水に濡れていたり、表面に苔が付いていたり、表面がざらついていたりする場合でも、クランプがしっかりと荷物を掴んで外れることのない、クランプ用のパッドを提供することを目的とする。
【課題を解決するための手段】
【０００５】  上記課題を解決するために、本考案の請求項１に記載のクランプ用のパッドは、天然麻織物の布の一方の面に、合成ゴム溶剤とアルミナ研削剤との混合剤を塗布して、滑り止めのための合成ゴム被覆層を形成したことを特徴とする。
また、請求項２に記載のクランプ用のパッドは、前記天然麻織物の布の他方の面に、合成ゴム溶剤とアルミナ研削剤との混合剤を塗布して、滑り止めのための合成ゴム被覆層を形成したことを特徴とする。
また、請求項３に記載のクランプ用パッドは、前記アルミナ研削材が粒度６０〜１５０番の粉末であることを特徴とする。
また、請求項４に記載のクランプ用パッドは、前記アルミナ研削材は、粒度１５０〜３０００番の粉末であることを特徴とする。
また、請求項５に記載のクランプ用パッドは、前記合成ゴム溶剤は、スチレンブタジエンゴム、シリコーンゴム、ウレタンゴムのいずれかを主剤とする軟質合成ゴム溶剤であることを特徴とする。
また、請求項６に記載のクランプ用パッドは、前記合成ゴム被覆層の硬度が２０〜６０Ｈｓであることを特徴とする。
【考案の効果】
【０００６】  本考案のクランプ用のパッドは、上記のように構成したことにより、天然麻織物の布の一方又は両方の面に、滑り止めのための合成ゴム被覆層が形成されるので、このパッドは軟質の合成ゴムによるほぼ平坦でかつ適度の反発弾性を有する表面が形成される。
このパッドをクランプの荷物挟持面と荷物との間に置いて、クランプにより荷物を挟持すると、パッドの合成ゴム被覆面とこれに接する荷物の表面との間、及び、パッドの合成ゴム被覆面とこれに接するクランプの挟持面との間に、大きな摩擦が生じ、クランプはパッドを介して荷物を強固に挟持することができる。
また、パッドの合成ゴム被覆層を形成する合成ゴム溶剤に、粒度６０〜１５０番又は粒度１５０〜３０００番の粉末のアルミナ研削剤を混合したことにより、合成ゴム被覆層の表面のアルミナ研削剤の粒子が、水や油脂に対する滑り止めの効果を高める。【０００７】  また、本考案のクランプ用パッドは、合成ゴム溶剤としてスチレンブタジエンゴム、シリコンゴム、ウレタンゴムのいずれかを主剤とする軟質合成ゴム溶剤であることが好ましく、これらの内いずれかの合成ゴム溶剤を用いることにより、パッド表面に硬度２０〜６０Ｈｓの合成ゴム被覆層を形成したときに、柔軟性、反発弾性、可とう性、耐水性、衝撃吸収性、耐摩耗性、対摩擦性、耐酸性、耐アルカリ性、耐熱性等に優れた軟質ゴム被覆層を形成することが出来る。
【考案を実施するための最良の形態】
【０００８】  本考案の実施の形態を、代表的な実施例に基づいて図面を用いて説明する。まず、図３は、従来の吊下運搬用吊り具の概略の構成を示す説明図である。図３に示すように、石材などの吊り荷の運搬具は、吊りクランプ３０の挟持部３１，３１が吊り荷である立方形の石材４０を両側から挟み込む形で掴み、吊りクランプ３０の把手部３２，３２の各末端に穿設された取付穴３４，３４に掛け渡されたチェーン３５を、クレーン５０のフック５１により吊上げるように構成されている。吊りクランプ３０の挟持部３１，３１には、硬質ゴム製の滑り止めパッド２０，２０が取り付けられ、その硬質ゴム製の滑り止めパッド２０，２０を介して、挟持部３１，３１が吊り荷４０を挟掴するようになっている。通常、吊りクランプ３０の挟持部３１，３１には、吊り荷の石材４０に強く圧接するように、挟持部３１，３１を吊り荷４０の石材の方向に付勢するスプリングが配設されているが図示を省略する。
硬質ゴム製の滑り止めパッド２０，２０を取り付けたことにより、金属製の挟持部３１，３１が吊り荷の石材４０を直接挟掴する場合に比べて、当該パッド２０，２０と石材４０との接触面積も大きく密着度も高まるので、吊り荷である石材４０が滑って外れることをある程度防止できる。しかし、吊り荷である墓石などの平滑な表面が水や油で濡れていたり、苔が付いていたりすると、パッド２０，２０を付けていても滑りやすくなり、吊り荷が落下する危険がある。また、パッドが当接する石材等の表面が平滑でなく荒れている場合も、パッドと石材との接触面積が小さくなり、荷物が滑って落下しやすくなる。硬質ゴム製の滑り止めパッド２０は、吊りクランプの挟持部３１の被運搬物（石材等）に当接する部分の大きさとほぼ同じ大きさで、厚みが５〜１０ｍｍ程度のものが多く、通常、吊りクランプの挟持部３１にネジ止めにより固着されるようになっている。【０００９】  本考案のクランプ用パッドは、図１に示すように、従来の硬質ゴム製の滑り止めパッド２０，２０と吊り荷の石材４０との間に挟んで使用するクランプ用パッド１０である。
本実施例のクランプ用パッド１０は、図１（Ａ）に平面図で示すように、短辺約１５ｃｍ×長辺約３０ｃｍの麻織物の布体である。麻織物の布１１の表面には合成ゴム被覆層１２が形成されており、また、麻織物の布１１の周囲には木綿などの丈夫な布で端部をカバーするように縫いつけてあり、麻織物の布１１の周縁部１３が解けてくるのを防止してある。図１（Ｂ）は、図１（Ａ）中Ｘ−Ｘ’線が示す断面の端面図であって、クランプ用パッド１０の断面の芯部には麻織物の布１１があり、その上面及び下面にそれぞれ合成ゴムの被覆層１２，１２が形成され、その左右両端には周縁部１３が形成されている。図１（Ｃ）は、図１（Ｂ）端面図の中央部の拡大図であって、麻織物の布１１の上面及び下面にそれぞれ合成ゴムの被覆層１２，１２が形成されていることを示している。
本実施例では、麻織物の布１１の厚みは３〜５ｍｍ程度で、合成ゴム被覆層の厚みは上面側・下面側とも０．５〜１ｍｍ程度である。【００１０】  合成ゴム被覆層１２は、合成ゴム溶剤好ましくはスチレンブタジエンゴム、シリコーンゴム、ウレタンゴムのいずれかを主剤とする軟質合成ゴム溶剤と、粒度６０〜１５０番のアルミナ研削剤との混合剤を、麻織物の布１１の一方の面あるいは両方の面に塗布し、その後乾燥して形成する。予め合成ゴム溶剤とアルミナ研削剤を重量比１：２〜１：３程度の割合で混合した混合剤を調製し、麻織物の布１１の一方の面あるいは両方の面に塗布する。
あるいは、麻織物の布１１の表面に、合成ゴム溶剤をスプレー等で塗布して合成ゴムの薄膜層を形成し、その合成ゴムの薄膜層が乾かないうちにアルミナ研削剤を吹き付け、さらにその上から再度合成ゴム溶剤を塗布する方法で、合成ゴム被覆層１２を形成してもよい。
以上のようにして、麻織物の布１１の表面には乾燥後、厚み０．５〜１ｍｍ程度で、アルミナ研削剤を含有する硬度２０〜６０Ｈｓの軟質の合成ゴム被覆層１２が形成される。
本実施例では、アルミナ研削剤は昭和電工株式会社製品の白色アルミナ研削剤「商品名：モランダム（登録商標第４６２９８７６号）」の粒度６０〜１５０番又は粒度１５０〜３０００番の粉末を使用したが、同等品であればよい。【００１１】  本考案のクランプ用パッドを使用するときは、図２に示すように、クランプ用パッド１０を、吊りクランプ３０の挟持部３１，３１に固着された従来の硬質ゴム製滑り止めパッド２０，２０と石材４０との間に置いて、クランプ３０により石材４０を挟持すると、石材４０の重量によりクランプ用パッド１０の合成ゴム被覆層１２とこれに接する石材４０の表面との間、及び、クランプ用パッド１０の合成ゴム被覆層１２とこれに接する従来の硬質ゴム製クランプ用パッド２０との間に大きな摩擦が生じ、石材４０の滑りや落下を防止し、これを強固に挟持して、運搬することができる。
本実施例では、吊り荷となる石材４０として、一辺７０ｃｍ×一辺７０ｃｍ×一辺３６ｃｍの大きさで重量約５００ｋｇの墓石を、最大７０ｃｍ巾用の吊りクランプ３０で挟持して運搬する場合、従来の硬質ゴム製クランプ用パッド２０だけを用いたときは、雨が降ったときなど水に濡れた状態では、墓石が徐々に滑り始め、落下の危険があった。しかし、このようなときでも本考案のクランプ用パッド１０を、図２に示したように用いることにより、墓石が滑ることなく、強固に挟持して運搬することが出来た。
合成ゴム層に１２に粒度の低い（６０〜１５０番）粉末のアルミナ研削材を使用した場合は、これに接する部材との摩擦力が大きくなり、滑り止め効果が高くなる。しかし、墓石等の表面が平滑で光沢ある部材の表面に本考案のクランプ用パッドを当接させると、細かい傷を生じることがある。このようなときは、粒度の高い（１５０〜３０００番）粉末のアルミナ研削材を使用することにより、墓石等の表面に傷を付けることを防止することができる。運搬する墓石等の大きさ、重さ、表面状態等に応じて、合成ゴム層１２に適度の粒度のアルミナ研削材を使用したクランプ用パッドを選択すればよい。
図２に示した実施例では、本考案のクランプ用パッド１０を、吊りクランプ３０の挟持部３１，３１に固着された従来の硬質ゴム製滑り止めパッド２０，２０と石材４０との間に置いて使用したが、従来の硬質ゴム製滑り止めパッド２０に代えて、本考案のクランプ用パッド１０を吊りクランプ３０の挟持部３１，３１に直接固着して使用してもよい。この場合、クランプ用パッド１０をネジ止めなどの方法によりクランプの挟持部３１に強固に固着できれば、クランプ用パッド３０の合成ゴム被覆層は石材に当接する側だけにあればよい。【００１２】  以上の実施例に述べた、本考案のクランプ用パッドの寸法は一例であって、これに限定されるものではない。吊りクランプ自体も吊り荷の大きさに応じて各種サイズがあり、本考案のクランプ用パッドも、これに応じて各種サイズのものを用意するのが好ましい。本考案のクランプ用パッドは、天然麻織物の布を基材として、その表面に軟質の合成ゴム被覆層を形成したものであるので、柔軟性、反発弾性、可とう性、耐水性、衝撃吸収性、耐摩耗性、対摩擦性、耐酸性、耐アルカリ性、耐熱性に優れ、吊り荷となる石材等の被運搬物の表面が平滑で水に濡れたような場合でも、本考案のクランプ用パッドの表面のアルミナ研削剤が摩擦抵抗を増し、滑りを防止する。また、被運搬物の表面が平滑でなく細かい凹凸があるような場合でも、本考案のクランプ用パッドの柔軟な表面が被運搬物の凹凸ある表面に密着するように当接するので、有効に摩擦抵抗を増し、滑りを防止する。
【図面の簡単な説明】
【００１３】
【図１】  本考案のクランプ用パッドの平面図（Ａ）、平面図（Ａ）中Ｘ−Ｘ‘線が示す端面図（Ｂ）、端面図（Ｂ）の中央部拡大図（Ｃ）である。
【図２】  本考案のクランプ用パッドの使用状態を示す説明図である。
【図３】  従来の硬質ゴム製の滑り止めパッドの使用状態を示す説明図である。
【符号の説明】
【００１４】    １０    本考案のクランプ用パッド
１１    麻織物の布
１２    合成ゴム被覆層
１３    周縁部
２０    従来の硬質ゴム製の滑り止めパッド
３０    吊りクランプ
３１    挟持部
３２    把手部
３３    支点軸
３４    取付穴
３５    チェーン
４０    吊り荷（石材）
５０    クレーン
５１    フック
【図１】
0003135699.tif 000003
【図２】
0003135699.tif 000004
【図３】
0003135699.tif 000005